(57)【要約】【課題】  本発明は、騒音下でも折り畳んだ状態で通話ができ、かつ消費電力を低減し、誤動作を防止することができる折り畳み式の携帯電話機を提供する。【解決手段】閉蓋状態で使用する、骨伝導スピーカー及び操作キーを搭載する折り畳み式の携帯電話機であって、閉蓋状態か開蓋状態かを検出する検出手段と、前記骨伝導スピーカーの動作の可否を示す動作情報を取得する取得手段と、前記動作情報に基づき前記骨伝導スピーカーの動作可否状態を切り替える切替手段と、閉蓋状態を検出中に着呼があった場合、前記動作情報が動作可を示していれば前記操作キーによる入力を有効な入力として扱い、前記動作情報が動作不可を示していれば前記操作キーによる入力を無効な入力として扱う制御手段とを備える。【選択図】  図３
2005175691.tif 000002
【特許請求の範囲】
【請求項１】
閉蓋状態で使用する、骨伝導スピーカー及び操作キーを搭載する折り畳み式の携帯電話機であって、
閉蓋状態か開蓋状態かを検出する検出手段と、
前記骨伝導スピーカーの動作の可否を示す動作情報を取得する取得手段と、
前記動作情報に基づき前記骨伝導スピーカーの動作可否状態を切り替える切替手段と、
閉蓋状態を検出中に着呼があった場合、前記動作情報が動作可を示していれば前記操作キーによる入力を有効な入力として扱い、前記動作情報が動作不可を示していれば前記操作キーによる入力を無効な入力として扱う制御手段と
を備えることを特徴とする携帯電話機。
【請求項２】
閉蓋状態で使用する骨伝導スピーカー及び操作キーを搭載する折り畳み式の携帯電話機で用いられる制御方法であって、
閉蓋状態か開蓋状態かを検出する検出ステップと、
前記骨伝導スピーカーの動作の可否を示す動作情報を取得する取得ステップと、
前記動作情報に基づき前記骨伝導スピーカーの動作可否状態を切り替える切替ステップと、
閉蓋状態を検出中に着呼があった場合、前記動作情報が動作可を示していれば前記操作キーによる入力を有効な入力として扱い、前記動作情報が動作不可を示していれば前記操作キーによる入力を無効な入力として扱う制御ステップと
を含むことを特徴とする制御方法。
【請求項３】
閉蓋状態で使用する骨伝導スピーカー及び操作キーを搭載する折り畳み式の携帯電話機で用いられるプログラムであって、
閉蓋状態か開蓋状態かを検出する検出ステップと、
前記骨伝導スピーカーの動作の可否を示す動作情報を取得する取得ステップと、
前記動作情報に基づき前記骨伝導スピーカーの動作可否状態を切り替える切替ステップと、
閉蓋状態を検出中に着呼があった場合、前記動作情報が動作可を示していれば前記操作キーによる入力を有効な入力として扱い、前記動作情報が動作不可を示していれば前記操作キーによる入力を無効な入力として扱う制御ステップと
の各ステップをコンピュータに実行させるプログラム。
【発明の詳細な説明】
【技術分野】
【０００１】
本発明は、折り畳み式の携帯電話機に関し、特に、具備する骨伝導スピーカーの制御に関する。
【背景技術】
【０００２】
折り畳み式の携帯電話機において、折り畳んだ状態でも開いた状態でも通話が行える、操作性を向上させた電話機が提案されている。
特許文献１に記載の携帯電話機は、上側筐体及び下側筐体とをヒンジにより折り畳み自在に結合しており、ヒンジから離れた箇所にマイクを備えると共に、前記上側筐体の外面における前記ヒンジ近傍に副スピーカーを備えることにより、折り畳んだ状態のままの通話を可能としている。
【０００３】
一方、携帯電話機に関し、駅の構内など騒音下においても通話を良好に行いたいというユーザからの要望に応えるために、騒音下の通話に有効である骨伝導スピーカーを搭載することが考えられている。
これを実現するには、薄型化、良好なデザイン、レイアウト等の制約を考慮して、骨伝導スピーカーを折り畳み携帯電話機の蓋部分の折り畳み状態で表面となる面側に搭載し、通話に用いる操作キーを折り畳み状態で押下できる位置に配置する必要が生じている。
【０００４】
ここに、骨伝導スピーカーとは、一般的な発音型スピーカーとは異なり、受信音等を振動に変換しユーザのこめかみ部付近に接触させたスピーカーから直接聴覚器官に伝えるものをいう。
当該骨伝導スピーカーを用いることにより、ユーザは騒音下においても明瞭に音を聞くことができる。
【特許文献１】特開２００３−８７３７９号公報
【発明の開示】
【発明が解決しようとする課題】
【０００５】
しかしながら、骨伝導スピーカーは、騒音下等のユーザが望む場所で用いることが前提であり、骨伝導スピーカーを搭載した携帯電話機をユーザが鞄等に入れてしまっている場合には、着呼があって骨伝導スピーカーが動作してもユーザが気付かず無駄に電力を消費したり、操作キーがユーザの知らぬ間に勝手に押され通話が開始してしまうなどの誤動作を生じる場合がある。
【０００６】
上記の問題に鑑み、本発明は、騒音下でも折り畳んだ状態で通話ができ、かつ消費電力を低減し、誤動作を防止することができる折り畳み式の携帯電話機を提供することを目的とする。
【課題を解決するための手段】
【０００７】
上記課題を解決するために、本発明は、閉蓋状態で使用する、骨伝導スピーカー及び操作キーを搭載する折り畳み式の携帯電話機であって、閉蓋状態か開蓋状態かを検出する検出手段と、前記骨伝導スピーカーの動作の可否を示す動作情報を取得する取得手段と、前記動作情報に基づき前記骨伝導スピーカーの動作可否状態を切り替える切替手段と、閉蓋状態を検出中に着呼があった場合、前記動作情報が動作可を示していれば前記操作キーによる入力を有効な入力として扱い、前記動作情報が動作不可を示していれば前記操作キーによる入力を無効な入力として扱う制御手段とを備える。
【発明の効果】
【０００８】
本発明の携帯電話機は、上述の構成を備えることにより、騒音下で、折り畳んだままでも通話をすることができ、また、当該携帯電話機をユーザが鞄等に入れてしまう場合に、着呼があっても骨伝導スピーカーを動作させず、ユーザが気付かず無駄に電力を消費することなく、操作キーがユーザの知らぬ間に押され通話が開始してしまうなどの誤動作を防ぐことができる。
【０００９】
本発明の制御方法は、閉蓋状態で使用する骨伝導スピーカー及び操作キーを搭載する折り畳み式の携帯電話機で用いられる制御方法であって、閉蓋状態か開蓋状態かを検出する検出ステップと、前記骨伝導スピーカーの動作の可否を示す動作情報を取得する取得ステップと、前記動作情報に基づき前記骨伝導スピーカーの動作可否状態を切り替える切替ステップと、閉蓋状態を検出中に着呼があった場合、前記動作情報が動作可を示していれば前記操作キーによる入力を有効な入力として扱い、前記動作情報が動作不可を示していれば前記操作キーによる入力を無効な入力として扱う制御ステップとを含む。
【００１０】
この構成によれば、騒音下で、折り畳んだままでも通話をすることができ、また、当該携帯電話機をユーザが鞄等に入れてしまう場合に、着呼があっても骨伝導スピーカーを動作させず、ユーザが気付かず無駄に電力を消費することなく、操作キーがユーザの知らぬ間に押され通話が開始してしまうなどの誤動作を防ぐことができる。
本発明のプログラムは、閉蓋状態で使用する骨伝導スピーカー及び操作キーを搭載する折り畳み式の携帯電話機で用いられるプログラムであって、閉蓋状態か開蓋状態かを検出する検出ステップと、前記骨伝導スピーカーの動作の可否を示す動作情報を取得する取得ステップと、前記動作情報に基づき前記骨伝導スピーカーの動作可否状態を切り替える切替ステップと、閉蓋状態を検出中に着呼があった場合、前記動作情報が動作可を示していれば前記操作キーによる入力を有効な入力として扱い、前記動作情報が動作不可を示していれば前記操作キーによる入力を無効な入力として扱う制御ステップとの各ステップをコンピュータに実行させる。
【００１１】
この構成によれば、騒音下で、折り畳んだままでも通話をすることができ、また、当該携帯電話機をユーザが鞄等に入れてしまう場合に、着呼があっても骨伝導スピーカーを動作させず、ユーザが気付かず無駄に電力を消費することなく、操作キーがユーザの知らぬ間に押され通話が開始してしまうなどの誤動作を防ぐことができる。
【発明を実施するための最良の形態】
【００１２】
以下、本発明の実施の形態を図示例と共に説明する。
＜１．構成＞
図１は、折り畳まれて閉じられた状態（閉状態）の折り畳み式の携帯電話機１の外観を示す斜視図である。
携帯電話機１は、筐体１０と蓋１１とが蝶番部１２によって連結し、筐体１０と蓋１１とは電気的に接続されている。
【００１３】
ここで図１に示すように、蓋１１に関し、閉状態である場合に露出する面側を蓋１１の背面と称し、露出せず筐体１０と接近する側の面を蓋１１の表面と称する。
背面ＬＣＤ（Ｌｉｑｕｉｄ Ｃｒｙｓｔａｌ Ｄｉｓｐｌａｙ）１３は、液晶ディスプレイであり、図１に示すように、蓋１１の背面に配置され、携帯電話機１に対する着呼があった場合などに、相手先の電話番号を示す情報等を表示する。
【００１４】
骨伝導スピーカー１４は、骨伝導で音声を伝送するスピーカーであり、蓋１１の背面に配置される。
背面操作キー１５は、利用者が操作を行うためのキーパッドであり、本実施形態では、１個のキーで構成しているが、複数のキーで構成してもよい。
背面操作キー１５には、１つのキーに複数の機能が割り当てられている。
【００１５】
本実施形態では、ユーザが１秒以上背面操作キー１５を押下する動作を「長押し」、１秒未満背面操作キー１５を押下する動作を「短押し」と称するが、短押しと長押しとの区別を、携帯電話機の仕様に応じて２秒などその他の時間で判定するようにしてもよい。
背面操作キー１５を用いる方法としては、例えば、前記閉状態で通話を行っていないときに携帯電話機１に対し着呼があった場合、ユーザは、背面操作キー１５を前記短押し、前記長押しを問わず押下すると、発呼元との通話が開始される。
【００１６】
閉状態で通話を行っているときに携帯電話機１に対し着呼があった場合、ユーザが背面操作キー１５を短押しすると、いわゆるキャッチホンの動作と同様に現在通話中の呼が通話待ち状態となり、当該着呼に対応する発呼元について通話可能状態となる。
閉状態で通話を行っているときに携帯電話機１に対し着呼があった場合、ユーザが背面操作キー１５を長押しすると、現在通話中の呼との通話を切断し、当該着呼に対応する発呼元について通話可能状態にする。
【００１７】
また、携帯電話機１が開かれた状態である開状態において、背面操作キー１５が押下されても、携帯電話機１の動作は変わらない。
その他、背面操作キー１５が押下されたときの動作については、後述する。
切欠部１６は、利用者が発した音声を筐体１０に備えるマイクに伝えられるように、筐体１０に設けられた切り欠きである。
【００１８】
アンテナ１７は、携帯電話機１が使用する基地局（図示せず）と無線通信を行うためのアンテナである。
図２は、前記開状態の携帯電話機１の外観を示す斜視図である。
拡声スピーカー１８は、蓋１１に設けられ、受信した音声をユーザに伝えるスピーカーである。
【００１９】
マイク１９は、筐体１０に設けられ、利用者が発した音声を集音するマイクロフォンである。
表面ＬＣＤ２０は、蓋１１の前記表面に設けられ、発呼先及び発呼元の電話番号、携帯電話機１に関するバッテリの充電状態、現在時刻等の表示を行うための液晶ディスプレイである。
【００２０】
開閉状態検出部２１は、携帯電話機１が前記閉状態になっているときに押下されるボタンを備えており、当該ボタンが押下されているか否かに基づき携帯電話機１が前記閉状態であるか、開状態であるかを示す開閉情報を、制御部５２を介して記憶部５３に記憶させる。
表面操作キー群２２は、携帯電話機１が開状態である場合に、ユーザが、操作指示を行うためのキー群であり、電話番号等を入力するための０から９までの数字を示すテンキーや、通話開始キーや、通話終了キー等を含み、さらに、表面ＬＣＤ２０に表示される電話番号リストや、骨伝導スピーカー１４の機能を有効にするか無効にするかを選択するための表示などの各種一覧表示のうちの１項目を選択するのに用いる選択用キー等も含む。
【００２１】
図３は、携帯電話機１の構成の概略を示すブロック図である。
通信部５１は、制御部５２の指示に従いアンテナ１７を介して、前記基地局と通話のための無線通信を行い、受信した信号については復調した結果である音声信号を、信号処理部５４に出力し、信号処理部５４に入力された入力音声は、変調されて前記基地局に対し出力される。
【００２２】
前記無線通信は、音声に限らず電子メール等のデータを送るものであっても構わない。
制御部５２は、開閉状態検出部２１が出力した前記開閉情報を記憶部５３に記憶させる。
また、制御部５２は、表面操作キー群２２が含むキーが押下された場合には、当該押下されたキーに従い動作する。
【００２３】
制御部５２が行う主な制御を、以下（ａ）〜（ｆ）に示す。
（ａ）制御部５２が、前記テンキーが押下されたと判定した場合、指示された数字を発呼すべき電話番号として取得し、通話開始キーが押下されることにより、通信部５１に対し、当該電話番号に対する発呼開始指示をし、通話終了キーが押下されることにより、通信部５１に対し通話終了指示をする。
（ｂ）記憶部５３が予め記憶している１以上の電話番号を、表面ＬＣＤ２０に一覧表示させ、ユーザに、前記選択用キーを用いて当該複数の電話番号から１の電話番号を選択するよう促し、選択された電話番号に対し発呼するよう通信部５１を制御する。
（ｃ）記憶部５３に予め記憶している１以上の電話番号を、表面ＬＣＤ２０に表示させ、ユーザに、前記選択用キーを用いて当該表示された複数の電話番号から１の電話番号をデフォルト通話先電話番号選択するよう促し、選択されたデフォルト通話先電話番号が前記複数の電話番号のいずれであるかを、記憶部５３に記憶させる。
【００２４】
閉状態で通話が行われておらず、骨伝導スピーカーが有効である場合に、背面操作キー１５が押下されると、前記デフォルト通話先電話番号に対し、発呼を行うよう、通信部５１に対し指示する。
（ｄ）通話中に着呼した場合、再度の通話開始キー押下検出により、いわゆるキャッチホンの動作と同様に、通信部５１に対し、呼を切り替えるよう指示して呼を切り替えさせる。
（ｅ）骨伝導スピーカー１４を有効にするか無効にするかをユーザに選択させるための画面を表示し、ユーザに、前記選択用キーを用いて有効と無効との何れかを選択するよう促し、ここで選択された結果を骨伝導スピーカー使用情報として、記憶部５３に記憶させる。
（ｆ）前記骨伝導スピーカー使用情報に基づき、信号処理部５４に対し、骨伝導スピーカー１４及び拡声スピーカーのいずれに音声を出力すべきか、表面操作キー群２２中の音量選択キーにより指示された音量で音声を出力するよう指示する。
【００２５】
記憶部５３は、前記開閉情報、前記複数の電話番号、前記デフォルト通話先電話番号、前記骨伝導スピーカー使用情報を記憶する。
信号処理部５４は、前記利用者が通話している場合、通信部５１から受信した音声信号を、増幅処理を施した後、制御部５２の指示に基づき、骨伝導スピーカー１４及び拡声スピーカー１８の何れかに出力し、また、マイク１９が集音した入力音声を増幅処理し、通信部５１、アンテナ１７を介して、前記基地局に送信する。
＜２．動作＞
携帯電話機１において、表面操作キー群２２を使用する通話等に関しては、本発明の本質ではなく、他の携帯電話機等の動作と同等であるので、背面操作キー１５を使用する場合のみの動作について説明する。
【００２６】
図４は、携帯電話機１においてユーザが背面操作キー１５を用いて通話する場合の処理フローを示す。
制御部５２は、着呼の有無を検出しており、通信部５１は、着呼があった場合に制御部５２に通知する（Ｓ１０１）。
制御部５２は、着呼がなかった場合（Ｓ１０１：ＮＯ）、着呼があるまでＳ１０１を繰り返し、着呼があった場合（Ｓ１０１：ＹＥＳ）、蓋１１が閉じているか否かを判定する（Ｓ１０２）。
【００２７】
前記開閉状態が開状態を示す場合（Ｓ１０２：ＮＯ）、処理を終了し、閉状態を示す場合（Ｓ１０２：ＹＥＳ）、背面操作キー１５の入力があるか否かを判定する（Ｓ１０３）。
制御部５２は、背面操作キー１５の入力がない場合（Ｓ１０３：ＮＯ）、背面操作キー１５の入力があるまで、Ｓ１０３を繰り返し、背面操作キー１５の入力があった場合（Ｓ１０３：ＹＥＳ）、前記骨伝導スピーカー使用情報に基づき骨伝導スピーカー１４が有効であるか否かを判定する（Ｓ１０４）。
【００２８】
骨伝導スピーカー１４が無効であった場合（Ｓ１０４：ＮＯ）、Ｓ１０１へ戻り、骨伝導スピーカー１４が有効であった場合（Ｓ１０４：ＹＥＳ）、骨伝導スピーカー１４を用いた通話を開始する（Ｓ１０５）。
Ｓ１０５で通話を開始した後、制御部５２は、背面操作キー１５の操作の入力が有るか否かを検出する（Ｓ１０６）。  背面操作キー１５の操作がない場合（Ｓ１０６：ＮＯ）、Ｓ１０６を繰り返す。
【００２９】
背面操作キー１５の操作があった場合（Ｓ１０６：ＹＥＳ）、当該操作が、長押しであったか否かを判定する（Ｓ１０７）。
長押しであった場合（Ｓ１０７：ＹＥＳ）、通信部５１は、制御部５２の指示に従いアクティブな呼を切断し（Ｓ１０８）、長押しでなかった場合（Ｓ１０７：ＮＯ）、通信部５１は現在アクティブな呼の他に呼があるか否かを判定する（Ｓ１１１）。
【００３０】
アクティブな呼の他に呼があった場合（Ｓ１１１：ＹＥＳ）、制御部５２は当該他の呼に対応する通話を開始するよう通信部５１に指示し、通信部５１は指示に従い呼を切り替え（Ｓ１１２）、アクティブな呼の他に呼が無かった場合（Ｓ１１１：ＮＯ）、処理を終了する。
＜３．その他の変形例＞
なお、本発明を上記の実施の形態に基づいて説明してきたが、本発明は、上記の実施の形態に限定されないのはもちろんである。
以下のような場合も本発明に含まれる。
（１）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００３１】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００３２】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００３３】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（２）上記実施の形態及び上記変形例をそれぞれ組み合わせるとしてもよい。
【図面の簡単な説明】
【００３４】
【図１】本発明の携帯電話機の閉状態の外観を示す斜視図である。
【図２】同携帯電話機の開状態の外観を示す斜視図である。
【図３】同携帯電話機の構成の概略を示すブロック図である。
【図４】同携帯電話機においてユーザが背面操作キーを用いて通話する場合の処理フローを示す図である。
【符号の説明】
【００３５】
１      携帯電話機
１０      筐体
１１      蓋
１２      蝶番部
１３      背面ＬＣＤ
１４      骨伝導スピーカー
１５      背面操作キー
１６      切欠部
１７      アンテナ
１８      拡声スピーカー
１９      マイク
２０      表面ＬＣＤ
２１      開閉状態検出部
２２      表面操作キー群
５１      通信部
５２      制御部
５３      記憶部
５４      信号処理部
【図１】
2005175691.tif 000003
【図２】
2005175691.tif 000004
【図３】
2005175691.tif 000005
【図４】
2005175691.tif 000006